(57)【要約】      （修正有）【課題】閉じた状態ではコンパクトな箱型となってかさばらず、開いた状態では取っ手が突出して持ち運びを容易にすることができ、使い勝手を向上させることができる収納ケースを提供する。【解決手段】上面が開口した箱型の収納部１，２を備え、収納部１，２が側面で接合され、各収納部１，２の接合された側面に接続されて、収納部１，２の開口部を覆う上面蓋部（第１面）と、接合された側面に対向する別の側面を覆う側面蓋部（第２面）とを有する蓋部３，４を備え、側面蓋部にそれぞれ取っ手用の孔部３３ａ，３３ｂが設けられ、蓋部３，４が、収納部１，２の接合された側面の上辺部を軸として立ち上がって、略直立状態で互いに着脱可能に接着される収納ケースとしている。【選択図】図１
0003219969.tif 000002
【実用新案登録請求の範囲】
【請求項１】
上面が開口した箱状の収納部を２つ備えた収納ケースであって、
前記収納部が互いに側面で接合され、
前記各収納部の当該接合された側面に接続し、前記収納部の開口部を覆う第１面と、前記接合された側面に対向する別の側面を覆う第２面とを有する蓋部を備え、
前記蓋部において、前記第２面にそれぞれ取っ手用の孔が設けられ、
前記各収納部の蓋部が、前記接合された側面の上辺部を軸として立ち上がり、略直立状態で互いに着脱可能に接着されることを特徴とする収納ケース。
【請求項２】
収納部において接合された側面に隣接する側面と、蓋部の第１面とを接続する連結部を備えたことを特徴とする請求項１記載の収納ケース。
【請求項３】
蓋部が収納部の開口部を覆うように閉じた状態では、連結部が収納部の内側に折りたたまれることを特徴とする請求項２記載の収納ケース。
【請求項４】
各蓋部の第２面には、前記両蓋部が接着した場合に互いに係合する位置に接着用のマグネットが設けられていることを特徴とする請求項１乃至３のいずれか記載の収納ケース。
【請求項５】
収納部において、接合された側面に対向する別の側面に、蓋部のマグネットと係合する位置に接着用の別のマグネットが設けられていることを特徴とする請求項４記載の収納ケース。
【考案の詳細な説明】
【技術分野】
【０００１】
本考案は、収納ケースに係り、特に、閉じた状態では箱型の形状となってかさばらず、開いた状態では取っ手が突出して持ち運びが便利になる収納ケースに関する。
【背景技術】
【０００２】
［先行技術の説明］
従来、筆記具や工具類を収納する収納ケースには、筆記具等を収納する収納部を複数備えたものがあった。
［関連技術］
尚、関連する先行技術文献として、特開昭６２−１６８８５３号公報「ペン、鉛筆等を収納し得るケース」（特許文献１）、実用新案登録第３１０８９５２号公報「裁縫箱」（特許文献２）、特開２０１６−６８２２７号公報「観音開き工具箱」（特許文献３）がある。
【０００３】
特許文献１には、複数のペン等を収納する容器を備えたケースが、側面で連結する構成が記載されている。
特許文献２には、裁縫箱において、中央の取っ手で収納部を仕切っており、蓋が中央から外側に開く構成が記載されている。
特許文献３には、工具箱で、中央から外側に向かって開く蓋を備え、蓋に持ち手が設けられている構成が記載されている。
【０００４】
特に、箱の上面を２枚の蓋で覆う構成において、２枚の蓋が接する部分（中央、内側）から外側に向かって開く観音開きの構成はあるものの、接する部分とは反対側の外側から内側に向かって開く構成はない。
【先行技術文献】
【特許文献】
【０００５】
【特許文献１】特開昭６２−１６８８５３号公報
【特許文献２】実用新案登録第３１０８９５２号公報
【特許文献３】特開２０１６−６８２２７号公報
【考案の概要】
【考案が解決しようとする課題】
【０００６】
しかしながら、従来の取っ手を備えた収納ケースでは、例えば特許文献２のように、閉じた状態でも取っ手が突出して邪魔になり、かさばってしまうという問題点があった。
【０００７】
尚、特許文献１〜３には、閉じた状態では箱型となってかさばらず、開いた状態では取っ手が突出して持ち運びを容易にする構成についての記載はない。
【０００８】
本考案は、閉じた状態ではコンパクトな箱型となってかさばらず、開いた状態では取っ手が突出して持ち運びを容易にすることができ、使い勝手を向上させることができる収納ケースを提供することを目的とする。
【課題を解決するための手段】
【０００９】
上記従来例の問題点を解決するための本考案は、上面が開口した箱状の収納部を２つ備えた収納ケースであって、収納部が互いに側面で接合され、各収納部の当該接合された側面に接続し、収納部の開口部を覆う第１面と、接合された側面に対向する別の側面を覆う第２面とを有する蓋部を備え、蓋部において、第２面にそれぞれ取っ手用の孔が設けられ、各収納部の蓋部が、接合された側面の上辺部を軸として立ち上がり、略直立状態で互いに着脱可能に接着されることを特徴としている。
【００１０】
また、本考案は、上記収納ケースにおいて、収納部において接合された側面に隣接する側面と、蓋部の第１面とを接続する連結部を備えたことを特徴としている。
【００１１】
また、本考案は、上記収納ケースにおいて、蓋部が収納部の開口部を覆うように閉じた状態では、連結部が収納部の内側に折りたたまれることを特徴としている。
【００１２】
また、本考案は、上記収納ケースにおいて、各蓋部の第２面には、両蓋部が接着した場合に互いに係合する位置に接着用のマグネットが設けられていることを特徴としている。
【００１３】
また、本考案は、上記収納ケースにおいて、収納部において、接合された側面に対向する別の側面に、蓋部のマグネットと係合する位置に接着用の別のマグネットが設けられていることを特徴としている。
【考案の効果】
【００１４】
本考案によれば、上面が開口した箱状の収納部を２つ備えた収納ケースであって、収納部が互いに側面で接合され、各収納部の当該接合された側面に接続し、収納部の開口部を覆う第１面と、接合された側面に対向する別の側面を覆う第２面とを有する蓋部を備え、蓋部において、第２面にそれぞれ取っ手用の孔が設けられ、各収納部の蓋部が、接合された側面の上辺部を軸として立ち上がり、略直立状態で互いに着脱可能に接着される収納ケースとしているので、閉じた状態では取っ手が突出することなく箱型の形状となってかさばらず、開いた状態では２つの蓋部が収納部の接合面から突出して接着され、孔を備えた第２面が取っ手として機能して、持ち運びを容易にすることができる効果がある。
【００１５】
また、本考案によれば、収納部において接合された側面に隣接する側面と、蓋部の第１面とを接続する連結部を備えた上記収納ケースとしているので、開いた状態で持ち運ぶ場合に、取っ手となる蓋部を補強すると共に、収納部から収納物がこぼれ出るのを防ぐことができる効果がある。
【００１６】
また、本考案によれば、各蓋部の第２面には、両蓋部が接着した場合に互いに係合する位置に接着用のマグネットが設けられている上記収納ケースとしているので、開いた場合に、２枚の蓋部をマグネットで接着させて、直立状態を保持し、取っ手として使いやすくする効果がある。
【００１７】
また、本考案によれば、収納部において、接合された側面に対向する別の側面に、蓋部のマグネットと係合する位置に接着用の別のマグネットが設けられている上記収納ケースとしているので、閉じた状態で蓋部を収納部の別の側面にしっかり固定でき、箱型の形状を保ち、また、蓋部が意図せずに開いてしまうのを防ぐことができる効果がある。
【図面の簡単な説明】
【００１８】
【図１】本収納ケースの概略構成を示す説明図である。
【図２】本収納ケースを閉じた状態の斜視図である。
【図３】本収納ケースを閉じた状態の上面図である。
【図４】本収納ケースを閉じた状態の正面図である。
【図５】本収納ケースを閉じた状態の側面図である。
【図６】本収納ケースを開いた状態の斜視図である。
【図７】本収納ケースを開いた状態の上面図である。
【図８】本収納ケースを開いた状態の正面図である。
【図９】本収納ケースを開いた状態の側面図である。
【図１０】本収納ケースの変形例を示す説明図である。
【考案を実施するための形態】
【００１９】
本考案の実施の形態について図面を参照しながら説明する。
［実施の形態の概要］
本考案の実施の形態に係る収納ケース（本収納ケース）は、上面が開口した箱型の収納部を２つ備え、当該収納部が側面で接合され、各収納部の接合された側面に接続されて、収納部の開口部を覆う上面蓋部と、接合された側面に対向する別の側面を覆う側面蓋部とを有する蓋部を備え、側面蓋部にそれぞれ取っ手用の孔が設けられ、各蓋部が、収納部の接合された側面の上辺部を軸として立ち上がって、略直立状態で互いに着脱可能に接着されるものであり、閉じた状態では取っ手が突出することなく箱型の形状を保ち、かさばらず、複数個所有している場合には重ねて用いることができ、開いた状態では、２つの蓋部が収納部の接合面から突出して接着され、孔を備えた側面蓋部が取っ手として機能して、持ち運びを容易にすることができるものである。
【００２０】
［本収納ケースの概略構成：図１］
まず、本収納ケースの概略構成について図１を用いて説明する。図１は、本収納ケースの概略構成を示す説明図であり、（ａ）は閉じた状態、（ｂ）は開閉途中の状態、（ｃ）は開いた状態を示している。
図１に示すように、本収納ケースは、収納部１，２と、蓋部３，４とを備えている。
収納部１，２は、略直方体形状で、上面が開口しており、長手方向の側面で互いに接着剤等で接合されている。
【００２１】
蓋部３は、収納部１の開口面（上面）と、接合された側面に対向する側面（別の側面）を覆うものであり、収納部１の接合された側面の上端部に接続して設けられている。
また、蓋部３において、収納部１の別の側面を覆う部分に、取っ手用の孔部３３ａが形成されている。
【００２２】
蓋部４は、収納部２開口面（上面）と、接合された側面に対向する側面（別の側面）を覆うよう、収納部２の接合された側面の上端部に接続して設けられている。蓋部４も、蓋部３と同様に収納部２の別の側面を覆う部分に、取っ手用の孔部３３ｂが形成されている。
【００２３】
本収納ケースの開閉について説明する。
本収納ケースは、図１（ａ）に示すように、閉じた状態では、取っ手が突出しない箱型の形状となっている。これにより、複数個所有している場合には、複数のケースを積み重ねて用いることができ、場所を取らずコンパクトに置くことができるものである。
【００２４】
また、図１（ｂ）に示すように、本収納ケースの蓋部３，４を開ける際には、それぞれ収納部１，２の別の側面を覆っている部分から開く。
上述したように、蓋部３，４は、収納部１，２の接合された側面の上端部に接続して設けられており、接合された側面の上端の辺を軸として開いていく。
【００２５】
そして、図１（ｃ）に示すように、完全に開いた状態になると、蓋部３及び蓋部４は略直立状態となって、後述するマグネットによって互いに接着される。
この状態では、蓋部３及び４に設けられた孔が重なって接着され、取っ手（持ち手）として機能し、持ち運びが容易になるものである。
【００２６】
［本収納ケースの外側の構成：図２〜５］
本収納ケースの外側の構成について、図２〜５を用いて説明する。図２は、本収納ケースを閉じた状態の斜視図であり、図３は、本収納ケースを閉じた状態の上面図であり、図４は、本収納ケースを閉じた状態の正面図であり、図５は、本収納ケースを閉じた状態の側面図である。
図２に示すように、本収納ケースは、箱型の収納部１と収納部２とが、長辺を含む側面で接合されている。
収納部１を覆う蓋部３は、収納部１の上面（開口面）を覆う上面蓋部３１と、接合された面に対向する面（別の側面）を覆う側面蓋部３２とを備えている。
同様に、収納部２を覆う蓋部４は、上面を覆う上面蓋部４１と、別の側面を覆う側面蓋部４２とを備えている。
尚、上面蓋部３１，４１は、請求項に記載した蓋部の第１面に相当し、側面蓋部３２，４２は、蓋部の第２面に相当している。
【００２７】
蓋部３，４は、外側生地（表生地）と内側生地とが貼り合わされて形成されており、外側生地と内側生地との間に芯材が設けられている。
図３〜５に示すように、蓋部３の外側は、外側生地で形成された上面蓋部外側面３１ａと、側面蓋部外側面３２ａとを備えている。
また、蓋部４は、上面蓋部外側面４１ａと、側面蓋部外側面４２ａとを備えている。
【００２８】
そして、図４に示すように、蓋部３の側面蓋部３２には、取っ手用の孔部３３ａが形成され、その周囲に、補強と共に持ちやすくするための取っ手部３４ａが形成されている。
取っ手部３４ａは合皮（合成皮革）等で構成され、２つ折りにした状態で、取っ手となる側面蓋部３２の端部を挟み込むよう、側面蓋部３２の表裏に亘って設けられている。
【００２９】
そして、２つ折りにした取っ手部３４ａの外周、及び孔部３３ａ，３３ｂの周囲に、ステッチが施されて、折りたたんだ取っ手部３４ａの一方の半面と、側面蓋部３２と、取っ手部３４ａの他方の半面とが縫い合わされて固定されている。
同様に、図示は省略するが、蓋部４の側面蓋部４２には、取っ手用の孔部３３ｂ及び取っ手部３４ｂが設けられている。
【００３０】
尚、図３、図５においては、取っ手部３４ａ，３４ｂは省略しているが、本収納ケースを閉じた状態では、側面蓋部３２自体が収納部１，２の別の側面に重なるように閉じるため、取っ手部３４ａ，３４ｂが突出して邪魔になることはない。
【００３１】
［本収納ケースの内側の構成：図６〜図９］
次に、本収納ケースの内側の構成について、図６〜９を用いて説明する。図６は、本収納ケースを開いた状態の斜視図であり、図７は、本収納ケースを開いた状態の上面図であり、図８は、本収納ケースを開いた状態の正面図であり、図９は、本収納ケースを開いた状態の側面図である。尚、図９においては、取っ手部３４ａ，３４ｂの記載を省略している。
【００３２】
図６〜９に示すように、本収納ケースを開くと、蓋部３，４が収納部１，２の底面に略直交するように立ち上がり、上面蓋部外側面３１ａ，４１ａ、側面蓋部外側面３２ａ,４２ａがそれぞれ接着する。
【００３３】
蓋部３の内側は、内側生地によって形成される上面蓋部内側面３１ｂと、側面蓋部内側面３２ｂとを備えている。
同様に、蓋部４の内側は、上面蓋部内側面４１ｂと、側面蓋部内側面４２ｂとを備えている。
そして、上面部内側面３１ｂ，４１ｂには、それぞれポケット５３が設けられている。
【００３４】
本収納ケースを開いた場合、箱型の収納部１，２の開口部が露出して、筆記具等の物品を出し入れできるようになる。収納部を２つ備えているため、例えば、筆記具とそれ以外の物を分けて収納するとか、工具を分類して収納する、といった使い方ができるものである。
【００３５】
また、側面蓋部３２の内部（側面蓋部外側面３２ａと芯材との間、又は芯材と側面蓋部内側面３２ｂとの間）には、接着用のマグネット５１ａ，５１ｂが設けられている。
同様に、側面蓋部４２の内部には、接着用のマグネット５１ｃ，５１ｄが設けられている。
そして、蓋部３，４が立ち上がると、マグネット５１ａとマグネット５１ｃとが係合し、マグネット５１ｂとマグネット５１ｄとが係合する。
これにより、立ち上がった蓋部３，４は互いに密着して支え合い、略直立の姿勢を保持できるものである。
【００３６】
同様に、図８に示すように、収納部１の別の側面には、側面蓋部３２のマグネット５１ａ，５１ｂと係合する位置に、接着用の別のマグネット５２ａ，５２ｂが設けられている。
また、収納部２の別の側面には、側面蓋部４２のマグネット５１ｃ，５１ｄ（図示せず）と係合する位置に、接着用の別のマグネット５２ｃ，５２ｄ（図示せず）が設けられている。
【００３７】
これにより、本収納ケースを閉じた場合に、マグネット５１ａ，５１ｂと別のマグネット５２ａ，５２ｂとが係合し、側面蓋部３２が収納部１の別の側面に接して固定され、コンパクトな形状を保持でき、また、閉じた状態において、蓋部３が意図せずに開いてしまうのを防ぐことができるものである。
また、収納部２と蓋部４マグネット５１ｃ，５１ｄと別のマグネット５２ｃ，５２ｄについても同様の効果がある。
【００３８】
更に、本収納ケースは、図６，図９に示すように、収納部１の接合面に隣接する側面と、上面蓋部３１とを連結する三角形の連結部５７ａ，５７ｂを備えている。具体的には、連結部５７ａは、収納部１の接合面に隣接する一方の側面（図８の左側）に接続し、連結部５７ｂは、他方の側面（図８の右側）に接続している。
同様に、収納部２について、接合面に隣接する側面と、上面蓋部４１とを連結する連結部５８ａ，５８ｂを備えている。
【００３９】
連結部５７ａ，５７ｂは、直角三角形の形状であり、直角の部分が、収納部１の接合された側面の上端部に接続され、一方の斜辺が上面蓋部内側面３１ｂに接続され、他方の斜辺が収納部１の接合面に直交する側面の上端の辺に接続されている。
【００４０】
そして、図９に示すように、連結部５７ａ，５７ｂ，５８ａ，５８ｂには、蓋部３，４が閉じられた場合に収納部１，２の内側に折り込まれるよう、図９において谷折りの折り目が形成されている。
また、連結部５８ａ，５８ｂは、連結部５７ａ，５７ｂと同様の形状で、収納部２と上面蓋部４１とを連結するように設けられている。
【００４１】
蓋部３，４が立ち上がった状態では、連結部５７ａ，５７ｂ，５８ａ，５８ｂが三角形に広がるので、収納物を立てて入れた状態で持ち運んだ場合に、収納物がこぼれ落ちるのを防ぐことができるものである。
また、連結部５７ａ，５７ｂ，５８ａ，５８ｂを設けることにより、取っ手として機能する際に蓋部３，４を補強する効果もある。
【００４２】
［製造時］
本収納ケースでは、収納部１と蓋部３、収納部２と蓋部４は一体の構成として形成される。
更に、収納部１と収納部２は同一形状であり、蓋部３と蓋部４も同一形状であり、同一形状のパーツから成る「収納部＋蓋部」の構成を２組、背中合わせに接合したような構成となっている。
そのため、取っ手となる孔部３３ａ，３３ｂは、蓋部３，４の長辺の中心に形成されており、本収納ケースを開いて、蓋部３，４を接着させた場合に、孔部３３ａ，３３ｂの位置が重なるものである。
これにより、製造を容易にし、製造コストを軽減することができるものである。
【００４３】
［本収納ケースの別の形状：図１０］
上述した例では、深さが比較的浅いペンケース状のケースを示したが、本収納ケースは、収納するものに応じて、縦・横・深さ（高さ）を任意に設定することが可能である。
図１０を用いて本収納ケースの変形例について説明する。図１０は、本収納ケースの変形例を示す説明図である。
図１０（ａ）は書類ケースとして適しており、書類をそのまま収納できるよう、十分な深さを備えた収納部を用いている。また、（ｂ）はペンケースに比べて深さを深くして高さのある文具も収納可能とした文具ケース、（ｃ）は上述したペンケース、（ｄ）はより小さな小物を収納するための小物ケースとして適している。
【００４４】
そして、いずれの形状でも、箱型の２つの収納部が側面で接合されており、接合面に接続し、収納部の上部及び接合面に対向する別の側面を覆う蓋部を備え、蓋部を開くと２枚の蓋部がマグネットによって接着して、接合面の上に略直立し、蓋部に設けられた孔部が取っ手となって持ち運びが容易になるものである。
また、いずれの形状でも、閉じた状態では取っ手が突出せずにコンパクトであり、かさばらない。特に、高さの制限があるキャビネットや本棚、引き出し等に本体を収納する際に便利である。
【００４５】
更に、応用例として、収納部１，２の接合される側面に面ファスナーを備え、面ファスナーによって着脱可能に接合してもよい。
また、収納部１，２を複数のホックによって着脱可能に接合してもよい。
【００４６】
［実施の形態の効果］
本収納ケースによれば、上面が開口した箱型の収納部１，２を備え、収納部１，２が側面で接合され、各収納部１，２の接合された側面に接続されて、収納部１，２の開口部を覆う上面蓋部３１，４１と、接合された側面に対向する別の側面を覆う側面蓋部３２，４２とを有する蓋部３，４を備え、側面蓋部３２，４２にそれぞれ取っ手用の孔部３３ａ，３３ｂが設けられ、蓋部３，４が、収納部１，２の接合された側面の上辺部を軸として立ち上がって、略直立状態で互いに着脱可能に接着されるものであり、閉じた状態では取っ手が突出することなく箱型の形状を保ってかさばらず、複数個重ねることができ、開いた状態では、２つの蓋部３，４が突出して接着され、孔部３３ａ，３３ｂを備えた側面蓋部３２，４２が取っ手として機能して、持ち運びを容易にすることができる効果がある。
【００４７】
また、本収納ケースによれば、蓋部３，４の側面蓋部３２，４２には、蓋部３，４が接着した場合に互いに係合するマグネット５１ａ，５１ｂ，５１ｃ，５１ｄが設けられているので、蓋部３，４を開いた場合に、しっかり接着して直立状態を保持することができ、取っ手として使いやすくする効果がある。
【００４８】
また、本収納ケースによれば、収納部１，２の接合面と対向する別の側面に、蓋部３，４のマグネット５１ａ，５１ｂ，５１ｃ，５１ｄと係合する別のマグネット５２ａ，５２ｂ，５２ｃ，５２ｄが設けられているので、蓋部３，４を閉じた場合に、側面蓋部３２，４２を収納部１，２の別の側面に固定することができ、取っ手が邪魔にならず、箱型の形状を保持してすっきりした外観とすることができる効果がある。
【００４９】
更に、本収納ケースによれば、収納部１，２の接合面に隣接する側面と、蓋部３，４の上面蓋部３１，４１とを接続する連結部を備えているので、蓋部３，４を取っ手として用いる場合に補強できると共に、収納部１，２から収納物がこぼれ出るのを防ぐことができる効果がある。
【産業上の利用可能性】
【００５０】
本考案は、閉じた状態では箱型の形状となってかさばらず、開いた状態では取っ手が突出して持ち運びが便利になる収納ケースに適している。
【符号の説明】
【００５１】
１，２…収納部、  ３，４…蓋部、  ３１，４１…上面蓋部、  ３２，４２…側面蓋部、  ３１ａ，４１ａ…上面蓋部外側面、  ３２ａ，４２ａ…側面蓋部外側面、  ３１ｂ,４１ｂ…上面蓋部内側面、  ３２ｂ,４２ｂ…側面蓋部内側面、  ３３ａ，３３ｂ…孔部、  ３４ａ，３４ｂ…取っ手部、  ５１ａ，５１ｂ，５２ａ，５２ｂ…マグネット、  ５３…ポケット、  ５７ａ，５７ｂ，５８ｂ…連結部
【図１】
0003219969.tif 000003
【図２】
0003219969.tif 000004
【図３】
0003219969.tif 000005
【図４】
0003219969.tif 000006
【図５】
0003219969.tif 000007
【図６】
0003219969.tif 000008
【図７】
0003219969.tif 000009
【図８】
0003219969.tif 000010
【図９】
0003219969.tif 000011
【図１０】
0003219969.tif 000012